(57)【特許請求の範囲】
【請求項１】
綿屑状綿断熱材の作成方法であって、
綿屑状綿を含む材料を作成する工程と、
分散装置を介して前記材料を運搬する工程と、
運搬装置の第１の布地と第２の布地との間において、前記分散装置を介して運搬された前記材料を分散する工程と、
２つの押圧装置によって、前記第１の布地と前記第２の布地との間に位置する前記材料を押圧する工程であって、前記第１の布地と前記第２の布地とは互いに付着して、複合物を形成する工程と、
溶着装置によって前記複合物を溶着して綿屑状綿断熱材を得る工程とを含み、
前記分散装置は直立したダクトであり、前記直立したダクトの壁は、前記材料を前記運搬装置に分散するように落下させるために、前記直立したダクトの中心に向かう方に、及び中心から離れた方に往復運動する方法。
【請求項２】
前記２つの押圧装置は、前記運搬装置の上端部及び下端部に各々取り付けられている請求項１に記載の方法。
【請求項３】
前記溶着装置は超音波溶着装置であり、前記溶着装置は、
前記運搬装置の上端部に位置する溶着ベースと、
前記運搬装置の下端部に位置し、前記溶着ベースの向かい側にあるヒータと
を備える請求項１又は請求項２に記載の方法。
【請求項４】
前記第１の布地と前記第２の布地とは双方とも不織布である請求項３に記載の方法。
【発明の詳細な説明】
【技術分野】
【０００１】
（関連出願の相互参照）
本出願は２０１５年７月３０日に出願の台湾特許出願第１０４１２４８１０号の優先権を主張し、当該出願の内容全体は、本明細書において参照することにより援用される。
【０００２】
（１．発明の技術分野）
本発明は作成方法、詳細には、綿屑状綿断熱材の作成方法に関する。本発明はまた、綿屑状綿断熱材に関するものであり、詳細には、上述の方法により製造される綿屑状綿断熱材に関する。
【背景技術】
【０００３】
（２．先行技術の記載）
軽量かつ断熱の特性を有する羽毛は、使用者が暖を保つために着用したり被ったりするためのダウンジャケット、羽ぶとん、寝袋等に加工するのに用いられる。そうしたダウン（綿毛）は断熱特性を有するが、ダウンを得るには通常、ダウンの羽毛を鳥から直接に抜くことで得られるゆえ、極めて残酷な行為に関与することとなる。それゆえ、人造繊維又はポリエチレン繊維がダウンに取って代わるよう開発されている。
【０００４】
人造繊維又はポリエチレン繊維は、従来技術では、繊維を織ることで網を形成するように織り込まれ、そしてこの網は、ダウンの温かさに似せるため、多層に重ねられて厚さを増すことができ、そうして人工的な製品を得るのである。繊維を織ることによる人造繊維又はポリエチレン繊維からの網の作成は厚さを増すことができるけれども、人工的な製品の隙間又は細孔が小さすぎて、使用者がその人工的な製品によって作られた衣類を着用しても、そうした衣類が暖を保つために使用者の体が発した熱を留めておくことができないのであるならば、その人工的な製品の細孔又は隙間は不十分である。
【０００５】
それゆえ、ダウンに取って代わるための、上記人工的な製品及びその作成方法を開発する従来技術におけるそのような弱点は解消されるべきである。
【発明の概要】
【発明が解決しようとする課題】
【０００６】
上述に従い、本発明の課題は、材料を等しく分散させるために、分散装置によって、綿屑状綿断熱材を作成する方法を提供することである。また、本発明の課題は、空気を効果的に留めておくために、上述の方法によって製造される綿屑状綿断熱材を提供することである。
【課題を解決するための手段】
【０００７】
本発明の上述の目的を達成するために、本発明の課題は、綿屑状綿断熱材の作成方法であって、綿屑状綿を含む材料を作成する工程と、分散装置を介して前記材料を運搬する工程と、運搬装置の第１の布地と第２の布地との間において、前記分散装置を介して運搬された前記材料を分散する工程と、２つの押圧装置によって、前記第１の布地と前記第２の布地との間に位置する前記材料を押圧する工程であって、前記第１の布地と前記第２の布地とは互いに付着して、複合物を形成する工程と、溶着装置によって前記複合物を溶着して綿屑状綿断熱材を得る工程とを含む方法を提供することである。
【０００８】
好ましくは、前記分散装置は直立したダクトであり、前記直立したダクトの壁は、前記材料を前記運搬装置に分散するように落下させるために、前記直立したダクトの中心に向かう方に、及び中心から離れた方に往復運動する。
【０００９】
好ましくは、前記２つの押圧装置は、前記運搬装置の上端部及び下端部に各々取り付けられている。
【００１０】
好ましくは、前記溶着装置は超音波溶着装置であり、前記溶着装置は、前記運搬装置の上端部に位置する溶着ベースと、前記運搬装置の下端部に位置し、前記溶着ベースの向かい側にあるヒータとを備える。
【００１１】
より好ましくは、前記第１の布地と前記第２の布地とは双方とも不織布である。
【００１２】
別の局面において、本発明は上述の方法によって製造される綿屑状綿断熱材に関する。
【発明の効果】
【００１３】
本発明の利点は、本発明の綿屑状綿断熱材の作成方法が分散装置を利用し、その結果、暖を保つための柔軟かつ軽量な羽毛感を維持するために、前記綿屑状綿断熱材内において材料が等しく分散されることができることである。
【００１４】
本発明の他の課題、利点、及び新規な特徴は、添付図面を併せて考慮されるとき、以下の詳細な記載からさらに明らかとなる。
【図面の簡単な説明】
【００１５】
【図１】本発明の綿屑状綿断熱材の作成方法のために用いられる織機の側面図である。
【図２】本発明の綿屑状綿断熱材の作成方法を示すフローチャートであり、Ｓ１からＳ５は工程１から工程５を表す。
【図３】本発明の綿屑状綿断熱材の作成方法によって製造された綿屑状綿断熱材の斜視図である。
【発明を実施するための形態】
【００１６】
図１に示すように、本発明の綿屑状綿（ｆｌｏｃｃｕｌａｒ  ｃｏｔｔｏｎ）断熱材の作成方法に用いられる織機（ウィービング装置）は、分散装置１０、運搬装置２０、２つの押圧装置３０、及び溶着（フュージョン）装置４０を備える。分散装置１０は直立したダクトであり、分散装置１０の底部は運搬装置２０の前端部に隣接する。直立したダクトの壁は直立したダクトの中心に向かう方に、及び中心から離れた方に往復運動する。運搬装置２０はコンベアであり、第１の巻出シリンダ２１及び第２の巻出シリンダ２２を備える。第１の巻出シリンダ２１は運搬装置２０の前端部の上端に位置し、第２の巻出シリンダ２２は運搬装置２０の前端部の下端に位置する。分散装置１０の向かい側にある第１の巻出シリンダ２１は第１の布地を巻いており、分散装置１０に隣接する第２の巻出装置２２は第２の布地を巻いている。第１の布地は運搬装置２０の上面に沿っており、第２の布地は運搬装置２０の下面に沿っている。第１の布地及び第２の布地は双方とも不織布である。２つの押圧装置３０は運搬装置２０の前端部と後端部との間に位置し、向かい合っており、運搬装置２０の上端部及び下端部に各々位置する。溶着装置４０は超音波溶着装置である。溶着装置４０は運搬装置２０の後端部に位置する。溶着装置４０は溶着ベース４１及びヒータ４２を備える。溶着ベース４１は運搬装置２０の上面に位置し、複数の溶着ニードル４１１を備える。ヒータ４２は運搬装置２０の下面に位置し、溶着ベース４１の向かい側にある。
【００１７】
図１及び図２に示すように、上述の織機は本発明の綿屑状綿断熱材の作成方法に用いられる。本方法は以下の工程を含む。（Ｓ１）綿屑状綿を含む材料を作成する。好適な実施形態では、本材料として、ポリエチレン（ＰＥ）、ポリプロピレン（ＰＰ）、ポリスチレン（ＰＳ）、ポリメチルメタクリレート（ＰＭＭＡ）、ポリ塩化ビニル（ＰＶＣ）、ナイロン、ポリカーボネート（ＰＣ）、ポリウレタン（ＰＵ）、ポリテトラフルオロエチレン（ＰＴＦＥ）、ポリエチレンテレフタレート（ＰＥＴ）、ポリオキシメチレン（ＰＯＭ）、又はこれらの任意の組み合わせが挙げられるが、これらに限定されるわけではない。（Ｓ２）本材料を分散装置１０の上端部に配置する。直立したダクトの壁はその直立したダクトの中心に向かう方に、及び中心から離れた方に往復運動し、本材料が分散装置１０の上端部から下端部へと分散するように落下し、分散装置１０の下端部に隣接する運搬装置２０の前端部の下面に落ちる。（Ｓ３）第１の巻出シリンダ２１は運搬装置２０の下端部に位置し、第１の布地を有しており、第２の巻出シリンダ２２は運搬装置２０の上端部に位置し、第２の布地を有している。本材料が分散装置１０から離れていくとき、本材料は第１の布地と第２の布地との間に位置する。（Ｓ４）本材料は運搬装置２０の前端部から後端部へ運搬されて、運搬装置２０の後端部と前端部との間に各々配置された２つの押圧装置３０を通過する。その結果、第１の布地及び第２の布地は互いに付着して、一つの複合物（コンビネーション）を形成する。（Ｓ５）この複合物を運搬装置２０の後端部に位置する溶着装置４０へと運搬し、溶着して綿屑状綿断熱材５０を得る。
【００１８】
図１及び図３に示すように、上述の織機を介して、綿屑状綿断熱材５０は綿屑状綿断熱材の作成方法により上記材料から得られる。綿屑状綿断熱材５０は第１の布地と第２の布地との間に挟まれた複数の材料を有する。この複数の材料は微小かつ綿屑状の形で形成される。複数の溶着箇所５１を有する綿屑状綿断熱材５０は、溶着装置４０における、ヒータ４２、及び溶着ベース４１の溶着ニードル４１１によって溶着される。その結果、綿屑状綿断熱材５０の内側は、暖を保つための空気を留めておくための柔軟かつ軽量な羽毛感（ｆｌｕｆｆｉｎｅｓｓ）を維持することができる。
【００１９】
本発明の多数の特徴及び利点が、本発明の構造及び特徴の詳細と共に上述の記載において説明されているが、本開示はあくまで説明のためのものである。添付の特許請求の範囲に表されている語句の広く一般的な意味合いによって示される十全な範囲にまで、本発明の原理内で、その詳細、特に部品の形状、大きさ、そして配置構成といった事柄において、変更がなされてもよい。
【図１】
0006324443.tif 000002
【図２】
0006324443.tif 000003
【図３】
0006324443.tif 000004